(57)【要約】  活動量計測システムは、継続して計測される活動強度に基づいて、所定の計測期間においてなされた積極的な運動量を示す運動指標（ＥＸ）と、日常の生活活動の運動量を示す生活活動指標（ＤＡ）とを算出し、Ｘ−Ｙマトリックス平面内に、これらの指標の組み合わせである活動要素Ａ（ｘ、ｙ）を表示する。運動指標（ＥＸ）は、所定の基準値を超える活動強度が測定される時間とその活動強度の積を上記の計測期間に亘って集計したものとして第１演算手段にて算出される。生活活動指標（ＤＡ）は、上記の所定期間に亘る使用者の消費エネルギを基礎代謝量で除したものとして第２演算手段にて算出される。消費エネルギは、基準値未満の単位時間当たりの活動強度と、使用者の身体的特徴を示すデータとの関数として求められ、基礎代謝量は使用者の身体的特徴のデータに基づいて計算される。このような身体的特徴のデータはシステム内の個人情報データテーブルに保持される。
2008120677.tif 000002
【特許請求の範囲】
【請求項１】
使用者の活動を検出してその活動に関する単位時間当たりの活動強度を求める活動検出手段と、
所定の計測期間内において上記活動強度が予め設定された基準強度を超える時間とその活動強度の積である第１指標を演算する第１演算手段と、
使用者の身体的特徴を記憶する個人情報データテーブルと、
上記活動強度から上記の第１指標と異なる第２指標を演算する第２演算手段と、
Ｘ−Ｙマトリックス平面を作り出すディスプレイを備え、上記第１指標と上記第２指標との組み合わせの座標に対応する位置にこの組み合わせで規定される運動情報の表示を上記のＸ−Ｙマトリックス平面に与える表示手段とを備え、
上記第２演算手段は、上記単位時間当たりの活動強度と、上記個人情報データテーブルから読み出す使用者の身体的特徴との関数である消費エネルギの上記計測期間内での総和と、上記個人情報データテーブルから読み出す身体的特徴に基づいて上記計測期間内で必要とされる使用者の基礎代謝量とを求め、上記消費エネルギを上記基礎代謝量とで除算して上記第２指標を求めるように構成されたことを特徴とする活動量計測システム。
【請求項２】
上記第２演算手段は、上記基準強度未満の活動強度のみについて、上記消費エネルギを求めるように構成されたことを特徴とする請求項１に記載の活動量計測システム。
【請求項３】
上記計測期間は、１週間と設定されたことを特徴とする請求項１に記載の活動量計測システム。
【請求項４】
上記基準強度を、使用者の年齢や性別に関連づけて記憶する基準値メモリが備えられ、
上記第２演算手段は、使用者の年齢、性別に応じて基準強度を選択するように構成されたことを特徴とする請求項２に記載の活動量計測システム。
【請求項５】
上記活動量計測システムは、使用者に携行される端末ケースを備え、
上記活動検出手段、上記第１演算手段、上記第２演算手段、上記表示手段が上記端末ケースに備えられたことを特徴とする請求項１に記載の活動量計測システム。
【請求項６】
上記活動量計測システムは、使用者に携行される携行端末と、この携行端末との間でデータの送受信を行うサーバとで構成され、
上記携行端末に、上記活動検出手段が備えられ、
上記サーバに、上記第１演算手段、上記第２演算手段、及び上記表示手段が備えられたことを特徴とする請求項１に記載の活動量計測システム。
【請求項７】
上記活動量計測システムは、使用者に携行される複数の携行端末と、各携行端末との間でデータの送受信を行うサーバとで構成され、
上記携行端末に、上記活動検出手段、上記第１演算手段、上記第２演算手段、上記表示手段が備えられ、
上記サーバには、各携行端末において求められた第１指標と第２指標のデータを取得してこれを記録する活動履歴テーブルと、使用者の属性を記録する使用者データテーブルが設けられ、
上記サーバには、Ｘ−Ｙマトリックス平面を有するサーバ側表示手段が備えられ、このサーバ側表示手段は、特定の携行端末から送信された上記第１指標と上記第２指標との組み合わせである活動情報の表示に加えて、この携行端末の使用者と同じ使用者分類に属する他人についての活動情報の表示を上記Ｘ−Ｙマトリックス平面に与えるように構成されたことを特徴とする請求項１に記載の活動量計測システム。
【請求項８】
上記活動検出手段は加速度センサ、活動強度計算手段、及び歩数検出手段を備え、
上記加速度センサは、使用者の活動に伴って発生する加速度データを出力するように構成され、
上記活動強度計算手段は、上記加速度データから所定の単位時間当たりの活動強度を求めるように構成され、
上記歩数検出手段は、単位時間当たりの歩数を計測するように構成され、
上記活動量計測システムは、
単位時間当たりの活動強度及び歩数に関する時系列データを測定時刻に対応付けて記憶する活動履歴テーブルと、
上記活動強度と歩数をパラメータとして異なる活動種類を予め類別した活動分類テーブルと、
活動類別手段とを備え、
上記活動類別手段は、各測定時刻での上記の活動強度と歩数の時系列データを、上記活動分類テーブルと比較分析して、両者の間の類似性の判断に基づいて、各測定時刻での活動種類を活動分類テーブルから識別し、上記の計測期間内における各活動種類の比率を求め、
上記表示手段は、この活動種類の比率及び各活動種類を示すコンテンツを上記マトリックス平面の座標軸に沿って表示するように構成されたことを特徴とする請求項２に記載の活動量計測システム。
【請求項９】
上記活動類別手段は、クラスタ分析により上記の活動種類を識別することを特徴とする請求項７に記載の活動量計測システム。
【請求項１０】
上記時系列データは、各測定時刻における、平均活動強度、最大活動強度、最小活動強度、平均歩数、最大歩行ピッチ、最小歩行ピッチを含むことを特徴とする請求項８に記載の活動量計測システム。
【請求項１１】
活動量計測システムは、使用者の日別の行動スケジュールを設定する日別スケジュールテーブルを備え、
上記活動類別手段は、上記計測期間内の各日で求めた活動種類が上記日別スケジュールテーブルでの対応する日において予測される活動種類であるかどうかを判定し、その日において予測されない活動種類を無視するように構成されたことを特徴とする請求項３に記載の活動量計測システム。
【請求項１２】
上記活動検出手段は加速度センサ、活動強度計算手段、及び演算式選択手段を備え、
上記加速度センサは、使用者の活動に伴って発生する加速度データを出力するように構成され、
上記活動強度計算手段は、特定の演算式を使用して上記加速度データの関数としての上記活動強度を求めるように構成され、
上記演算式選択手段は、複数の異なる演算式を異なる加速度データに対応させて格納する演算テーブルを備え、上記加速度センサで検出された加速度データに対応する演算式を上記演算テーブルから取り出して、上記の活動強度計算手段に与えることを特徴とする請求項１に記載の活動量計測システム。
【請求項１３】
上記活動検出手段は加速度センサ、活動強度計算手段、歩数検出手段、演算式選択手段２４を備え、
上記加速度センサは、使用者の活動に伴って発生する加速度データを出力するように構成され、
上記活動強度計算手段は、特定の演算式を使用して上記加速度データの関数としての上記活動強度を求めるように構成され、
上記歩数検出手段は、上記加速度データから所定の単位時間当たりの歩数を求めるように構成され、
上記演算式選択手段は、複数の異なる演算式を異なる歩数に対応させて格納する演算テーブルを備え、歩数検出手段で計測された歩数に対応する演算式を上記演算テーブルから取り出して、上記の活動強度計算手段に与えることを特徴とする請求項１に記載の活動量計測システム。
【請求項１４】
上記活動検出手段は加速度センサ、活動強度計算手段、歩数検出手段、演算式選択手段とを備え、
上記加速度センサは、使用者の活動に伴って発生する加速度データを出力するように構成され、
上記活動強度計算手段は、特定の演算式を使用して上記加速度データの関数としての上記活動強度を求めるように構成され、
上記歩数検出手段は、上記加速度データから所定の単位時間当たりの歩数を求めるように構成され、
上記演算式選択手段は、複数の異なる演算式を異なる加速度データ及び異なる歩数に対応させて格納する演算テーブルを備え、
上記演算式選択手段は、上記演算テーブルから上記加速度センサで検出された加速度データに対応する演算式と、上記歩数検出手段にて求められた歩数に対応する演算式とを取り出し、これら２つの演算式が同一である時のみに、その演算式を上記の活動強度計算手段に与えること特徴とする請求項１に記載の活動量計測システム。
【請求項１５】
上記活動検出手段は、加速度センサからの出力を所定のビット列で規定されるデジタルデータに変換するＡ／Ｄコンバータを備え、
上記活動強度計算手段は、上記デジタルデータにおける互いに異なる部分の部分ビット列にそれぞれ複数の異なる演算式を関連づけるように構成され、上記演算式選択手段によって選択された演算式の種類に応じた部分ビット列を上記デジタルデータから抽出して、この部分ビット列で表される数値を使用して、上記の活動強度を計算するように構成されたことを特徴とする請求項１２または１３に記載の活動量計測システム。
【請求項１６】
上記活動検出手段は加速度センサと、活動強度計算手段、歩数検出手段とを備え、
上記加速度センサは、使用者の運動に伴って発生する加速度の時系列データを出力するように構成され、
上記活動強度計算手段は、所定の演算式を利用して、上記加速度の時系列データから所定時間毎に上記活動強度を求めるように構成され、
上記歩数検出手段は、上記加速度の時系列データから所定の単位時間当たりの歩数を求めるように構成され、
上記活動量計測システムは、更に、低強度比率算出手段を有し、この低強度比率算出手段は、所定の計測時間範囲内において、上記の歩数が所定の基準値以下であって、上記活動強度が所定の基準範囲内である時間を低運動時間として算出して、上記の計測時間範囲内における低運動時間の比率を求め、この比率を上記表示手段に表示させるように構成されたことを特徴とする請求項１に記載の活動量計測システム。
【請求項１７】
上記活動検出手段は加速度センサと、活動強度計算手段とを備え、
上記加速度センサは、使用者の運動に伴って発生する加速度の時系列データを出力するように構成され、
上記活動強度計算手段は、所定の演算式を利用して、上記加速度の時系列データから所定時間毎に上記活動強度を求めるように構成され、
上記活動量計測システムは、更に、使用者に特有の肥満度判定用データ、年齢、身体的特徴を含む個人情報が記録される使用者データテーブルと、消費カロリ算出手段と、カロリバランス判定手段とを備え、
上記消費カロリ算出手段は、上記年齢及び身体的特徴から基礎代謝量を求め、この基礎代謝量と所定の判定期間に亘る運動強度とに基づいて消費カロリを算出するように構成され、
上記カロリバランス判定手段は、所定の判定期間に亘る上記消費カロリの変動と、上記肥満度測定用データの変動とを求め、それぞれの変動の結果を組み合わせた判定結果を作成するように構成され、
上記表示手段がこの判定結果を表示するように構成されたことを特徴とする請求項１に記載の活動量計測システム。
【請求項１８】
上記肥満度判定用データは、体重、内臓脂肪量、腹周長、ＢＭＩ（体重／身長）の一つであることを特徴とする請求項１７に記載の活動量計測システム。
【発明の詳細な説明】
【技術分野】
【０００１】
本発明は、使用者が行う活動量を計測してこれを表示する活動量計測システムに関するものである。
【背景技術】
【０００２】
日本特許公開２００３−０２４２８７は、加速度センサを用いて運動の評価を行う活動量計測システムを開示している。このシステムは、使用者が行う運動の強度を計測してその運動強度を表示するように設計されており、使用者の日常的な生活活動に伴う活動量については対象外とされている。しかしながら、使用者の活動には、積極的な運動と日常の生活活動とが含まれていることを考慮すると、これらを総合的に評価することが望まれる。
【発明の開示】
【０００３】
本発明は上記の課題を解決するために為されたものであり、その目的とするところは、所定の計測期間に亘って、積極的な運動に基づく活動量を、日常の生活活動に起因する活動量と対比させて表示することができる活動量計測システムを提供することである。本発明に係る活動量計測システムは、使用者の活動を検出してその活動に関する単位時間当たりの活動強度を求める活動検出手段と、この計測期間内において上記活動強度から第１の指標を演算する第１演算手段と、第１の指標と異なる第２の指標を求める第２演算手段とを備える。このシステムは更に、使用者の身体的特徴を記憶する個人情報データテーブルと、表示手段とを備える。この表示手段は、Ｘ−Ｙマトリックス平面を作り出すディスプレイを有し、上記第１指標と上記第２指標との組み合わせの座標に対応する位置にこの組み合わせで規定される運動情報の表示を上記のＸ−Ｙマトリックス平面に与えるように構成される。第１演算手段は、上記の計測期間内において上記活動強度が予め設定された基準強度を超える時間とその活動強度の積である第１指標を演算するように構成される。上記第２演算手段は、上記単位時間当たりの活動強度と、上記個人情報データテーブルから読み出す使用者の身体的特徴との関数である消費エネルギの上記計測期間内での総和と、上記個人情報データテーブルから読み出す身体的特徴に基づいて上記計測期間内で必要とされる使用者の基礎代謝量とを求め、上記消費エネルギを上記基礎代謝量とで除算して上記第２の指標を求めるように構成される。従って、第１の指標は、積極的な運動に起因する活動量を示し、第２の指標は積極的な運動に該当しない日常の生活活動に起因する活動を含む活動量を示すものであり、これら２つの活動量をマトリックス平面で表示することにより、使用者の活動の傾向を表示することができる。特に、第２の指標として、計測期間に亘る活動によって消費される消費エネルギを同じくこの計測期間における基礎代謝量の総量で除算したものを採用することで、使用者の日常的な活動量を示すことができる。
【０００４】
好ましくは、上記第２演算手段は、上記基準強度未満の活動強度のみについて、上記消費エネルギを求めるように構成される。これにより、第２指標が積極的な運動を除外した日常的な生活活動に伴う活動量に特定することができ、積極的な運動に伴う活動量である第１指標との対比を明確にすることができる。
【０００５】
一般に、使用者の活動様式は１週間単位で規定されることが予測されるため、上記の計測期間を１週間と設定することが望ましい。
【０００６】
更に、上記の基準強度としては、使用者の年齢や性別によって異なる基準値を使用することが望ましく、このために、上記システムには、使用者の年齢や性別に関連づけて異なる基準強度を記憶する基準値メモリが備えられ、上記第２演算手段は、使用者の年齢、性別に応じて基準強度を選択するように構成される。この構成とすることで、使用者の年齢や性別に応じて積極的な運動に伴う活動と日常的な生活活動との区別を正確に行うことができる。
【０００７】
本システムは、使用者が携行する携帯端末として実現することができる。この場合、使用者に携行される端末ケースに、上記活動検出手段、上記第１演算手段、上記第２演算手段、上記表示手段が備えられる。
【０００８】
これに代えて、本システムは、携帯端末とこの携帯端末との間でデータの送受信を行うサーバとで構成することができる。この場合、携行端末に活動検出手段が備えられ、サーバに、上記第１演算手段、上記第２演算手段、及び上記表示手段が備えられる。
【０００９】
本システムは、複数の使用者によって携行される複数の携帯端末とサーバとで構成することができる。この場合、サーバには、各携行端末において求められた第１指標と第２指標のデータを取得してこれを記録する活動データテーブルと、使用者の属性を記録する使用者データテーブルが設けられる。サーバには、また、Ｘ−Ｙマトリックス平面を有するディスプレイを備えたサーバ側表示手段が備えられ、このサーバ側表示手段は、特定の使用者に属する携行端末から送信された上記第１指標と上記第２指標との組み合わせである活動情報の表示に加えて、この携行端末の使用者と同じ使用者分類に属する他人についての活動情報の表示を上記Ｘ−Ｙマトリックス平面に与えるように構成される。この結果、同じ使用者分類に属する使用者は自身の活動情報を他の使用者の活動情報と比較することができ、自分の運動計画を実行するための動機付けを得ることができる。
【００１０】
本発明のシステムにおいては、予め活動強度に関連づけられた特定の運動の種類や特定の生活活動の種類を、第１指標及び第２指標に対比させて、その活動量の大きさと共に、Ｘ−Ｙマトリックス平面の近傍に表示させるように構成することが望ましい。この場合、上記活動検出手段は加速度センサと、活動強度計算手段、及び歩数計測手段とを備える。この加速度センサは、使用者の活動に伴って発生する加速度データを出力するように構成され、上記活動強度計算手段は、上記加速度データから所定の単位時間当たりの活動強度を求めるように構成され、上記歩数計測手段は、単位時間当たりの歩数を計測するように構成される。一方、このシステムには、単位時間当たりの活動強度及び歩数に関する時系列データを測定時刻に対応付けて記憶する活動履歴テーブルと、
上記活動強度と歩数をパラメータとして異なる活動種類を予め類別した活動分類テーブルと、活動類別手段とを備える。活動類別手段は、各測定時刻での上記の活動強度と歩数の時系列データを、上記活動分類テーブルと比較分析して、両者の間の類似性の判断に基づいて、各測定時刻での活動種類を活動分類テーブルから識別し、上記の計測期間内における各活動種類の比率を求める。このようにして求められた活動種類の比率及び各活動種類を示すコンテンツは上記表示手段によってマトリックス平面の座標軸に沿って表示される。これにより、計測期間中に行われた活動の傾向について、活動の種類を伴って表示することができて、使用者に対してより正確な活動の分析結果を与えることができる。
【００１１】
上述の活動種類を識別するための分析手法としては、クラスター分析を行うことが好ましく、その対象となるパラメータとしては、上記の時系列データに含まれる、各測定時刻における、平均活動強度、最大活動強度、最小活動強度、平均歩数、最大歩行ピッチ、最小歩行ピッチを採用することが望ましい。
【００１２】
更に、本発明の活動量計測システムは、活動種類の特定を正確に行うために、使用者の日別の行動スケジュールを設定する日別スケジュールテーブルを備えることが望ましい。この場合、上記活動類別手段は、上記計測期間内の各日で求めた活動種類が上記日別スケジュールテーブルでの対応する日において予測される活動種類であるかどうかを判定し、その日において予測されない活動種類を無視するように構成される。これにより、例えば、平日において予定されていない運動の種類が誤って判定されることを無くすことができる。
【００１３】
本発明の活動量計測システムでは、積極的な運動や日常の生活活動について各活動に正確に対応する活動強度及びこれに伴う活動量を活動検出手段が求めるための方式を提案する。この活動検出手段は加速度センサと、活動強度計算手段、及び演算式選択手段とを備えるように構成される。上記加速度センサは、使用者の活動に伴って発生する加速度データを出力するように構成され、上記活動強度計算手段は、特定の演算式を使用して上記加速度データの関数としての上記活動強度を求めるように構成される。上記演算式選択手段は、複数の異なる演算式を異なる加速度データに対応させて格納する演算テーブルを備え、上記加速度センサで検出された加速度データに対応する演算式を上記演算テーブルから取り出して、上記の活動強度計算手段に与えるように構成される。このため、歩いている時や走っている時とで異なる加速度に応じて、最適の演算式を使用することで、活動の形態に応じた最適の活動強度を求めることができ、活動強度に比例する活動量を正確に計算することができる。
【００１４】
上の方式に代えて、加速度センサからの出力から導き出される歩数に基づいて演算式を選択することも可能である。この場合、上記活動検出手段には、加速度データから所定の単位時間当たりの歩数を検出する歩数検出手段が設けられ、上記演算式選択手段は、複数の異なる演算式を異なる歩数に対応させて格納する演算テーブルを備え、歩数検出手段で計測された歩数に対応する演算式を上記演算テーブルから取り出して、上記の活動強度計算手段に与えるように構成される。
【００１５】
更に、演算式を選択するための上の２つの方式を組み合してより正確な活動強度、活動量を求めることができる。この場合、上記演算式選択手段は、複数の異なる演算式を異なる加速度データ及び異なる歩数に対応させて格納する演算テーブルを備えるように構成され、上記演算テーブルから上記加速度センサで検出された加速度データに対応する演算式と、上記歩数検出手段にて求められた歩数に対応する演算式とを取り出し、これら２つの演算式が同一であるときのみ、この演算式を上記の活動強度計算手段に与えるように構成される。
【００１６】
更に、本発明の活動量計測システムでは、活動強度の計算処理の速度を向上させる方式を提案する。上記活動検出手段は、加速度センサからの出力を所定のビット列で規定されるデジタルデータに変換するＡ／Ｄコンバータを備える。上記活動強度計算手段は、上記デジタルデータにおける互いに異なる部分の部分ビット列にそれぞれ複数の異なる演算式を関連づけるように構成され、上記演算式選択手段によって選択された演算式の種類に応じた部分ビット列を上記デジタルデータから抽出して、この部分ビット列で表される数値を使用して、上記の活動強度を計算するように構成される。この結果、例えば、走行時のように加速度が大きい場合は、上位のビット列を用いて活動強度を計算し、歩行時のように加速度が小さな場合は、下位のビット列を用いて活動強度を計算することができ、全てのビット列を使用した計算と同様の計算結果を与えることができ、計算処理の速度を向上させることができる。
【００１７】
また、本発明の活動量計測システムでは、所定の計測時間範囲内での活動量が少ない時間の比率を表示する機能が付加されることが好ましい。この目的のために、上記活動検出手段は加速度センサと、活動強度計算手段、歩数検出手段とを備えるように構成される。この加速度センサは、使用者の運動に伴って発生する加速度の時系列データを出力するように構成される。活動強度計算手段は、所定の演算式を利用して、上記加速度の時系列データから所定時間毎に上記活動強度を求めるように構成される。上記歩数検出手段は、上記加速度の時系列データから所定の単位時間当たりの歩数を求めるように構成される。これに加えて、活動量計測システムは低強度比率算出手段を有する。この低強度比率算出手段は、所定の計測時間範囲内において、上記の歩数が所定の基準値以下であって、上記活動強度が所定の基準範囲内である時間を低運動時間として算出して、上記の計測時間範囲内における低運動時間の比率を求め、この比率を上記表示手段に表示させるように構成される。この低運動時間の比率が使用者に表示されることで、使用者に運動の必要性を自覚させることができる。
【００１８】
また、本発明の活動量計測システムでは、計測される活動量と使用者に固有の基礎代謝量に基づいて、所定の判定期間における活動に伴う消費カロリの変動と基礎代謝量の変動とを組み合わせて表示する機能が付加されることが好ましい。この場合、上記活動検出手段は加速度センサと、活動強度計算手段とを備える。上記加速度センサは、使用者の運動に伴って発生する加速度の時系列データを出力するように構成される。上記活動強度計算手段は、所定の演算式を利用して、上記加速度の時系列データから所定時間毎に上記活動強度を求めるように構成される。このシステムには、更に、使用者に特有の肥満度判定用データ、年齢、身体的特徴を含む個人情報が記録される使用者データテーブルと、消費カロリ算出手段と、カロリバランス判定手段とを備える。上記消費カロリ算出手段は、上記年齢及び身体的特徴から基礎代謝量を求め、この基礎代謝量と所定の判定期間に亘る運動強度とに基づいて消費カロリを算出するように構成される。上記カロリバランス判定手段は、所定の判定期間に亘る上記消費カロリの変動と、上記肥満度測定用データの変動とを求め、それぞれの変動の結果を組み合わせた判定結果を作成してこれを表示手段に表示させるように構成される。従って、本システムは、このような判定結果を表示させることで、各判定期間毎に肥満度を使用者に認識させ、食事摂取の改善を促すことができる。
上記の肥満度判定用データとしては、体重、内臓脂肪量、腹周長、ＢＭＩ（体重／身長2）を使用することができる。
【図面の簡単な説明】
【００１９】
【図１】本発明の一実施形態に係る活動量計測システムを示す概略斜視図。
【図２】同上のシステムの内部構成を示すブロック図。
【図３】同上のシステムでの加速度から活動強度を求める手法を示すグラフ図。
【図４】同上のシステムに使用する活動データテーブルを示す説明図。
【図５】同上のシステムに使用する個人情報テーブルを示す説明図。
【図６】同上のシステムに使用するマトリックス平面での表示内容を示す説明図。
【図７】同上のマトリクス平面の構成を示す説明図。
【図８】同上のシステムに使用する活動指標履歴テーブルを示す説明図。
【図９】同上のシステムに使用する活動履歴テーブルを示す説明図。
【図１０】同上のシステムでのサーバ表示手段のマトリックス平面に表示される内容を示す説明図。
【図１１】同上のサーバ表示手段へ表示される各種のアドバイス内容の決定方法を示すフロー図。
【図１２】同上のサーバ表示手段での別の表示内容を示す説明図。
【図１３】同上のシステムに使用する活動分類テーブルを示す説明図。
【図１４】同上のシステムに使用する個人の日別スケジュールの入力画面を示す説明図。
【図１５】同上のシステムに使用する減量シミュレーションを示すフロー図。
【図１６】同上のシステムにおける活動強度の計算の一手法を示す説明図。
【図１７】同上のシステムに使用する個人の詳細データの入力画面を示す説明図。
【発明を実施するための最良の形態】
【００２０】
図１に示すように、本発明の一実施形態に係る活動量計測システムは、使用者の日常活動及び運動に伴う活動強度を継続的に測定して、所定の計測期間、例えば、１週間に亘る活動の傾向を分析してこれを表示するために設計され、使用者の活動強度を測定するために携行される携行端末１０と、携行端末１０で取得したデータを加工するためのサーバ１００とで構成され、両者はＵＳＢケーブルで接続された時にデータの送受信が行われるように構成される。携行端末１０は、表示手段６０を備えたケースを有し、内部に活動検出手段を構成する電子部品が収容される。サーバ１００は、入力手段、記憶手段及び表示手段を備えたパーソナルコンピュータで構成され、専用のアプリケーションプログラムが実行されることで、以後に説明する各種のデータ分析を行う。【００２１】
図２は、携帯端末１０及びサーバ１００が備える各種の機能を示し、携帯端末１０は、入力手段３０に加えて、活動検出手段２０、記憶手段４０、演算手段５０、表示手段６０、及び入力手段３０を備える。一方、サーバ１００は、入力手段１３０の他に、記憶手段７０、分析手段８０、サーバ表示手段９０を備える。【００２２】
先ず、携帯端末１０について説明する。活動検出手段２０は、使用者の活動に伴う加速度を検出する加速度センサ２１と、加速度センサ２１からのアナログ出力をデジタル信号に変換するＡ／Ｄコンバータ２３、演算式選択手段２４を備える。加速度センサ２１はｘ、ｙ、ｚ軸の３軸に沿った加速度を検出するように構成される。演算式選択手段２４は、３軸の各軸に沿った加速度を、１０Ｈｚ以上のサンプリング周波数で抽出して各軸の加速度の合成加速度を求め、所定の単位時間、例えば、１０秒間でのこの合成加速度の移動平均（Ｖ）を求め、この移動平均（Ｖ）の値に応じた異なる演算式を使用して、活動強度（Ｉ＝ＭＥＴ強度）を求める。演算式の選択には２つの閾値が使用され、第１の閾値は、日常の生活活動と歩行とを区別する値とされ、第２の閾値は歩行と走行とを区別する値とされ、実際の活動形態を正確に反映する活動強度が求められる。異なる演算式としては、演算テーブル２５に格納されている以下に示す３つの演算式が使用される。【００２３】
【数１】
2008120677.tif 000003
【００２４】
【数２】
2008120677.tif 000004
【００２５】
【数３】
2008120677.tif 000005
【００２６】
上の式中のａ、ｂ、ｃ、ｄ、ｅは係数で、ａ＜ｂとなり、ｃ、ｄ、ｅは、式２と式３とが連続するような値と設定される。
即ち、１０秒間での移動平均（Ｖ）が、第１の閾値以下の場合は式１が使用され、移動平均（Ｖ）が第１の閾値と第２閾値の場合は式２が使用され、移動平均（Ｖ）が第２の閾値を超える場合は、式３が使用される。第１と第２の閾値は、例えば、図３に示すように、０．３、０．６と設定され、移動平均（Ｖ）と活動強度（Ｉ）との関係は、同図の実線で示される。【００２７】
活動検出手段２０は、更に、活動強度計算手段２６と歩数検出手段２８を備える。この活動強度計測手段２６は選択された演算式に基づいて１０秒毎に活動強度（ＭＥＴｓ）を計算し、一分間の平均値を出力する。歩数検出手段２８は、合成加速度に基づいて、一分間当たりの歩数を計算してこれを出力する。これらの一分毎の活動強度及び歩数は、記憶手段４０に形成した図４に示すデータ構造を持つ活動データテーブル４２に記録される。【００２８】
携帯端末１０の演算手段５０には、第１演算手段５１と第２演算手段５２とが備えられ、活動データテーブル４２から読み出す活動強度、歩数に加えて、記憶手段４０内の個人情報データテーブル４４に記録された個人の身体的特徴や基準値メモリ４６に保持されている活動強度基準値を利用して、所定の計測期間、例えば、１週間内での積極的な運動量を示す運動指標（ＥＸ）と、日常生活での活動量を示す生活活動指標（ＤＡ）を計算して、その結果を表示手段６０内のマトリックス平面６２に表示する。【００２９】
個人情報データテーブル４４は、使用者の身体的特徴（性別、年齢、身長、体重）を記憶するもので、携帯端末の入力手段３０を利用して入力される。この個人情報データテーブル４４のデータは、携帯端末１０をサーバ１００への接続時に、サーバの記憶手段７０に設けた、図５に示すデータ構造を有する、使用者データテーブル７４に送られてデータの更新がなされる。この使用者データテーブル７４は、例えば、家族内での複数の使用者に関する身体的特徴及びその他の属性（職業、職種）を記録するもので、複数の携帯端末を使用する使用者についてのデータを蓄積して、後述する目的のために使用される。【００３０】
基準値メモリ４６は、表１に示すように、使用者の性別、年齢に応じた上記の活動強度基準値を保持しており、第１演算手段５１及び第２演算手段５２は、使用者の性別・年齢、及び後述するよう個人の活動レベルに応じた活動強度基準値を基準値メモリ４６から取得する。【００３１】
【表１】
2008120677.tif 000006
【００３２】
第１演算手段５１は、活動データテーブル４２に蓄積された単位時間（１分）毎の活動強度のデータについて、活動強度基準値以上の活動強度（ＭＨ）を求め、一週間に亘る計測期間内でのこの活動強度（ＭＨ）の総和を求めて、これを運動指標（ＥＸ）と決定する。【００３３】
一方、第２演算手段５２は、活動データテーブル４２に蓄積された直前の１週間に亘る活動強度のデータから、活動強度基準値未満の活動強度の活動に対応する一週間での消費エネルギ（ＥＧ）と、この期間で必要とされた基礎代謝量（ＢＭ）を求め、消費エネルギ（ＥＧ）を基礎代謝量（ＢＭ）で除した値を生活活動指標（ＤＡ）と決定する。消費エネルギ（ＥＧ）は、単位時間（１分）毎に、活動強度基準値未満である活動強度（ＭＬ）と、１分ごとの基礎代謝量（Ｂｍ）との関数として次式によって求められる１分毎の消費カロリ（Ｋｍ）の一週間に亘る総和（ΣＫｍ）として求められる。【００３４】
【数４】
2008120677.tif 000007
【００３５】
ここで、１分毎の基礎代謝量（Ｂｍ）は、基準値メモリ４６に格納されたテーブルにおいて下表に示すように、予め性別・年齢に応じて予め決定されている一時間当たりの基礎代謝基準値ＢＭｒｅｆ（Ｋｃａｌ／ｍ2／時間）と使用者の体表面積Ａ（ｍ2）との積から求められる（Ｂｍ＝Ｂｍｒｅｆ  ｘ  Ａ  ／６０）。【００３６】
【表２】
2008120677.tif 000008
【００３７】
また、体表面積Ａ（ｍ2）は、体重と身長との関数で求められるもので、例えば下記の式が使用される。【００３８】
【数５】
2008120677.tif 000009
【００３９】
上述のようにして求められた運動指標（ＥＸ）と生活活動指標（ＤＡ）は、記憶手段４０内のバッファ４８に記憶されると共に、図６に示すように、ディスプレイ内のＸ−Ｙマトリックス平面６２に表示される。運動指標（ＥＸ）及び生活活動指標（ＤＡ）はそれぞれ、図７に示すように、４つの範囲（０−３）に区画され、４ｘ４のマトリックス内で、運動指標（ＥＸ）と生活活動指標（ＤＡ）の組み合わせである活動要素［Ａ（ｘ、ｙ）］の位置を星印（★）で表示する。この結果、積極的な運動による運動量と日常生活活動による運動量とが対比されて表示され、使用者の活動傾向が一目で把握できる。【００４０】
尚、第１演算手段５１や第２演算手段５２で使用される活動強度基準値は、上の表１に示されるように、３つの活動レベルが予め設定されている。各レベルは、上で求められる生活活動指標（ＤＡ）に対応するように設定されており、使用者について、例えば、１週間や１ヶ月の間に求められた生活活動指標（ＤＡ）の平均値に応じて、各レベルが自動的に選択される。このため、第１演算手段５１や第２演算手段５２は、活動強度基準値を選択するに際して、バッファ４８に蓄積された直前の所定期間に亘る生活活動指標（ＤＡ）を読み取って、使用者の活動に即した活動強度基準値を基準値メモリ４６内のテーブルから選択するように構成される。これにより、使用者の活動レベルを最も良く反映する運動指標（ＥＸ）及び生活活動指標（ＤＡ）を得ることができる。レベル１、レベル２，レベル３に行くに従って、生活活動指標（ＤＡ）が大きい、即ち、活動のレベルが大きくなる使用者を想定する活動強度基準値が設定されている。【００４１】
第１演算手段５１及び第２選択手段５２で選択した活動強度基準に対応するレベルについても、表示手段６０に表示することが好ましく、この場合は、該当するレベルのデータがバッファ４８に記録され、表示手段６０に与えられる。【００４２】
尚、携帯端末１０の表示手段６０は、上記のマトリックス平面６２での活動傾向の表示を行う分析モードの他、単位時間（１分）毎に計算される活動強度（ＭＥＴｓ）を表示する強度表示モードを与えるように構成される。更には、計測時間を一日として、一日での活動傾向をマトリックス平面に与える短期間分析モードも設定されており、これらの表示モードの切換は、携帯端末１０の入力手段３０に設けたモード選択ボタンによって行われる。【００４３】
携帯端末１０をサーバ１００に接続すると、バッファ４８に格納された運動指標（Ｅｘ）と生活活動指標（ＤＡ）、活動データテーブル４２内のデータが、サーバ１００の活動指標履歴テーブル７６や活動履歴テーブル７２に送信されてここに記録される。活動指標履歴テーブル７６は、図８のようなデータ構造を有し、活動履歴テーブルは、図９に示すデータ構造を有し、それぞれ、異なる使用者のデータを一括に記憶し、異なる使用者に対して、それぞれ詳細な分析を与えるために使用される。【００４４】
サーバ１００には分析手段８０が設けられ、分析手段には、図２に示すように、アドバイス手段８２の他、後述する活動類別手段８４、カロリバランス判定手段８６、消費カロリ算出手段８８、低強度比率算出手段８５が含まれる。アドバイス手段８２は、使用者に対して、今後の運動アドバイスを提供するために設けられ、活動指標履歴テーブル７６及び使用者データテーブル７４から、特定の使用者に対する最新のデータを取り出し、図１０に示すように、サーバ表示手段９０で提供されるウィンドウフォーム９４内に、上記と同様のマトリックス平面９２と共に、アドバイス内容をテキストボックス９５、９６内に表示する。アドバイス内容は、予めアドバイス手段８２内に保存されている運動の種類と具体的な数値とを組み合わせであり、図１１のフロー図に示される方式によって決定される。この方式では、最初に、活動指標履歴テーブル７６から取り出した運動指標（ＥＸ）と生活活動指標（ＤＡ）との活動要素Ａ（ｘ、ｙ）が、最大（Ａ（３、３））以上であるかどうかを判定する（ステップＳ１）。この条件が満足されておれば、年齢が６５才未満であるかを判定し（Ｓ２）、６５才未満でなければ、アドバイス内容を「現状維持」と決定する。Ｓ３において、既往症歴に循環器系疾患が有ると判定されるか、或いは循環器系疾患が無く且つＳ４でＢＭＩ（体重／身長2）が標準値以上でないと判定されると、アドバイス内容は「現状維持」と決定する。Ｓ４でＢＭＩが標準値以上であるとされると、自転車やジョギング等の有酸素運動を進めるアドバイス内容が決定される。Ｓ１において、活動要素Ａ（ｘ、ｙ）がＡ（３、３）より低いと判定されて場合は、Ｓ５に進み、活動要素Ａ（ｘ、ｙ）がＡ（３、０）、Ａ（３、１）、Ａ（３、２）と一致するかを判定し、この条件が満足されなければ、アドバイス内容を「生活活動レベルを一段上げる」と決定する。一方、Ｓ５での条件が満たされた場合、Ｓ６で既往症歴に循環器系疾患が有るかを判定し、循環器系疾患が無い場合は、アドバイス内容を「運動強度を上げる」と決定し、そうでない場合は、「運動強度を一段階下げる」と決定する。【００４５】
アドバイス手段８２は、上記のようにして決定されたアドバイス内容に基づく最適の活動要素Ａ（ｘ、ｙ）を決定して、図１０に示すように、マトリックス平面９２での対応する座標位置に、目標マーク（◎）を表示すると共に、この目標活動要素に到達する最適な経路を矢印で表示する。アドバイス手段８２は、更に、上述したように所定の期間に割って計測された個人の生活活動指標（ＤＡ）に対応するものとして判定された活動レベル（表１に示す）を図１０のフォーム内に表示するように構成することもできる。特に、判定された活動レベルに対応する運動強度値をアドバイス内容に加えることができる。【００４６】
分析手段８０中の活動類別判定手段８４は、活動履歴テーブル７２に蓄積されたデータから、所定の計測期間である最近の１週間での運動及び生活活動の種類を判別して、図１２に示すように、その種類及びその比率を棒グラフ９７、９８の形式で、運動指標（ＥＸ）及び生活活動指標（ＤＡ）に対比させて、ウィンドウフォーム内に表示する。運動の種類や日常生活活動の種類は、記憶手段７０内に設けられて図１３で示すデータ構造を持つ活動分類テーブル７５において、平均歩数、最小・最大歩行ピッチ、平均活動強度、最小・最大活動強度のパラメータと関連させて定義されている。活動類別判定手段８４は、図９に示す活動履歴テーブル７２に記録されている時系列データから同一のパラメータを５分刻みで抽出し、クラスタ分析によってこれらのパラメータが類似する活動種類を５分毎に特定し、所定の判定時間、例えば２５分で、特定された活動の種類が所定のパターン継続する場合に、この所定の判定時間内での活動の種類を判定する。例えば、２５分の間に、運動の種類「ゆっくり歩行」を示す活動ＩＤの（ａ）と、「食事準備片付け」を示す活動ＩＤの（ｂ）が、「ａ、ｂ、ａ、ａ、ｂ、ａ」と連続した場合では、「ａ、ｂ、ａ」のパターンは「ａ、ａ、ａ」であると判定され、この判定期間内での運動が「ゆっくり歩行」であると判定される。このようにして、一週間の計測期間内での、２５分を単位とした活動の種類が集積され、各活動の種類とその比率が求められる。【００４７】
この場合、日常の生活活動を示す活動強度、即ち、使用者に特定された活動基準値未満の活動強度に基づいて求められた活動の種類（ゆっくり歩行、食事準備片付け、掃除等）とその比率については、図１２に示すウィンドウフォーム９４内のマトリックス平面９２のＸ軸の生活活動指標（ＤＡ）に沿った棒グラフ９７で表示される。一方、積極的な運動を示す活動強度、基づいて求められた活動の種類（ウォーキング、ジョギング、テニス、自転車）とその比率については、Ｙ軸の運動指標（ＥＸ）に沿って棒グラフ９８で表示される。【００４８】
活動類別手段８４は、記憶手段７０内に設定した日別スケジュールテーブル７８を参照し、上記の計測期間内の各日で判定された活動の種類が、その日において予定されていない種類のものであれば、その活動の種類を無視するように設定される。例えば、平日の就業時間帯において、運動の種類がテニスやジョギングと判定された場合は、その活動の種類を無視し、次点候補と判定された活動の種類が使用される。日別スケジュールテーブル７８は、表示手段９０で表示する図１４に示す休日設定フォームへの入力によって作成され、活動分類テーブル７５では、休日で予定される運動である否かを決定するフィールドが設けられ、使用者からの入力によって活動の種類と休日との関係が確立される。【００４９】
分析手段８０中の低強度比率算出手段８５は、一日の計測時間範囲内での、低い活動強度の活動が行われた時間の比率を表示するために設けられている。低強度比率算出手段８５は、活動履歴テーブル７２から、１分毎の活動強度と歩数を取り出し、１分当たりの歩数が８０ピッチ以下であり且つ活動強度が上記の活動基準値未満である活動の時間が、２４時間に占める割合を求めこれを、表示手段９０に表示する。また、上の計測時間は１日だけでなく、例えば、１週間や１ヶ月の長期と設定することもできる。本実施形態では、分析手段８０をサーバ１００に設けているが、分析手段８０を携帯端末１０側に設けてその表示手段６０に低活動時間の比率を表示するようにしてもよい。【００５０】
分析手段８０中のカロリバランス判定手段８６は、所定の期間、例えば、使用者における１ヶ月に亘る一日毎の消費カロリの変動と、使用者の肥満度の変化を求めて、それぞれの変動を表示手段９０にグラフで表示するために設けられる。一日分の消費カロリは、消費カロリ算出手段８８において算出されるもので、上述の第２演算手段５２と同様に、使用者に特有の基礎代謝量と活動強度に基づいて、上述の式４によって求められ１分当たりの消費カロリから求められる。一方、肥満度の変化については、使用者データテーブル７４に保存される年齢・性別・身長及び肥満度判定データとなる体重から判定される。【００５１】
消費カロリや肥満度の変動は、下表に示す判定基準によって一日毎に求められ、同時に、これらの変動の組み合わせによる食事摂取量の判定が行われる。表示手段９０に表示するグラフとしては、（＋）（−）の表示に変えて、実際の消費カロリの値や、体重を使用することもできる。【００５２】
【表３】
2008120677.tif 000010
【００５３】
即ち、消費カロリや肥満度が前日と比べて、所定の値の増減割合（ΔＥ、ΔＷ）を超えて増減した場合は、それぞれ（＋）（−）の判定がカロリバランス判定手段８６で行われ、それらの組み合わせによって、その時々の食事摂取量が推定される。この食事摂取量の判定結果も、表示手段９０にグラフで表示され、使用者に対して食事摂取量に関する注意を与えることができる。【００５４】
また、カロリバランス判定手段８６には、減量シミュレーション機能が付加されており、これにより、使用者に対して適切な食事制限と運動療法とをアドバイスするように構成される。この減量シミュレーションは、表示手段９０にて促される入力項目に入力する「目標期間」、「目標体重」、「運動／食事比率」、「食事制限による減量エネルギ」に基づいて、図１５で示されるフロー図に示すプログラム動作を行う。先ず、ステップＳ１、Ｓ２で目標期間と目標体重が入力される。目標期間の既定値は３ヶ月と設定されており、目標体重の規定値は現在の体重が設定され、使用者はこれらを希望する値に変更する。ステップＳ３では、目標期間と目標体重とから一月当たりの減量率を計算し、減量率が所定の値（例えば、２ｋｇ／月）を超えると、警告を表示して、Ｓ１に戻る。ステップＳ４では、運動と食事によるカロリ減の比率の入力を求める。この運動／食事比率は、目標体重（Ｗａ）までに現在の体重（Ｗｂ）を減じるために必要な一日あたりの消費カロリを、運動と食事とに振り分ける比率であり、既定値としては、消費カロリの３０％を食事に割り当てた値が設定されており、１０％〜９０％が選択可能である。Ｓ５ではＳ４で入力された比率に基づいて、食事によって減らす一日あたりのカロリを算出してこれを表示する。Ｓ６では、Ｓ５で計算されたカロリを参考にして、運動／食事比率の変更を可能とするもので、変更が必要な場合はプログラム動作がＳ５に戻る。Ｓ７ではＳ５で表示された食事によって減らす一日あたりのカロリを参照して、使用者が実際に食事で減らすカロリ減量の入力を促す。Ｓ８では、Ｓ７で入力されたカロリ減量を補う運動によるカロリ減量を計算する。次いで、Ｓ９では、Ｓ８で算出した運動によるカロリ減量を達成するために１日あたりに行う運動量を計算してこれを表示する。この運動量としては、例えば、活動強度が３ＭＥＴｓで表される「通常の歩行」、４ＭＥＴｓの「早歩き」、３ＭＥＴの「自転車運動」について、それぞれに必要な活動時間が計算され、運動の種類とその時間とが表示される。その後、Ｓ１０では、Ｓ９での表示内容を参照して使用者に対して、実際に食事で減らす１日当たりのカロリの変更を許可し、変更入力が有った場合は、プログラム動作がＳ７に戻る。変更がない場合は、Ｓ１１に進み、目標体重の変更を可能とし、変更がない場合はプログラムを終了し、変更があればＳ１に戻る。尚、肥満度判定データとしては、体重の他に、内臓脂肪量、腹周長、ＢＭＩ（体重／身長2）、或いはこれらの組み合わせを利用することができる。【００５５】
上記の実施形態では、携帯端末１０において使用者の特性に応じた活動強度を求めるために複数の異なる演算式を選択的に使用する演算式選択手段２４が設けられ、図３に示されるように、携帯端末において計測される加速度に応じてこれらの演算式の内の一つを選択することを説明したが、本発明は必ずしもこれのみに限定されるものではなく、携帯端末１０の歩数検出手段２８で検出される歩数や、歩数と加速度との組み合わせに基づいて演算式を選択することができる。例えば、第１の閾値として６０、第２の閾値として１２０を使用し、１分当たりの歩数が６０未満の場合は、検出された活動は生活活動に起因するものとして、演算式選択手段２４では上の式１で示される演算式が使用され、６０以上で１２０未満の範囲では、歩行であるとして式２の演算式が使用され、１２０以上では、走行であるとして上の式３の演算式が使用される。【００５６】
歩数と加速度の両方を演算式の選択に使用する場合は、演算式選択手段２４は、演算テーブル２５から加速度に対応する演算式と、上記歩数検出手段２８にて求められた歩数に対応する演算式とを取り出し、これら２つの演算式が同一である時に、その演算式を使用するようにし、一致しない場合は、演算式の使用を禁止して、活動強度の計算を不能とされる。一致しない場合は、携帯端末が身体に装着されずに、何らかの外力を受けて、例えば、手で動かされた状況に該当し、このような状況での活動強度の算出を不能とすることで、使用者の活動の検出精度が向上する。【００５７】
活動強度計算手段２６では、Ａ／Ｄコンバータから出力される１６ビットの加速度から上記の演算式を使用して単位時間（１０秒間）の活動強度を算出するように構成されており、この演算処理速度の向上を図るために、加速度や歩数の大小に応じて、図１６で示される１６ビット列の内の３つの部分ビット列（８ビット長）を選択的に使用する。即ち、加速度や歩数が第１の閾値未満の場合は、下位ビット列ＢＬ（ｂ１〜ｂ８）を使用し、加速度や歩数が第１の閾値と第２の閾値の間では、中位ビット列ＢＣ（ｂ５〜ｂ１２）を使用し、第２の閾値以上の場合は、上位ビット列ＢＨ（ｂ９〜ｂ１６）を使用する。【００５８】
上述の実施形態では、生活活動指標（ＤＡ）及び運動指標（ＥＸ）を算出する第１演算手段５１、第２演算手段５２を携帯端末１０側に設けた例を示したが、本発明は必ずしもこの形態に限定されるものではなく、第１演算手段と第２演算手段及び使用者に応じた活動強度を求めるための複数の異なる演算式を記憶する基準値メモリ４６をサーバ１００の分析手段８０内に備えるように構成することも可能である。この場合、携帯端末１０をサーバ１００に接続したときに、サーバ側で求められた運動指標（ＥＸ）と生活活動指標（ＤＡ）が携帯端末１０に送信されて、表示手段６０のマトリックス平面６２にその結果が表示されるように構成される。【００５９】
これとは別に、サーバ１００での記憶手段７０や分析手段８０を携帯端末１０に備えることで、本発明のシステムの全ての機能を備えた自己充足型の携帯端末ヲ構成することも可能である。【００６０】
更には、上述したサーバ１００を、ウェブ上に設置された別のデータサーバ（図示せず）と通信可能とするように設定することも可能である。この場合、データサーバは、各使用者に属するサーバ１００の活動履歴テーブル７２、活動指標履歴テーブル７６、使用者データテーブル７４でのレコードが集積されるように構成され、各サーバ１００からの要求に応じて、他人についての運動指標（ＥＸ）と生活活動指標（ＤＡ）を、送信するように設定される。即ち、各サーバ１００でのアドバイス手段８２には、このサーバ１００の所有者と同じ使用者分類に属する他人の活動傾向を参照するための参照機能が付加されており、この参照機能が選択された場合に、使用者を特定するコードを伴う参照要求をデータサーバに送信する。データサーバはこの参照要求を受けると、送信元の使用者と同じ使用者分類に属する使用者、即ち、性別・年齢・身長・体重・職業・職種・既往症その他の詳細なパラメータについてこれらが類似する使用者をクラスタ分析に基づいて特定し、特定された類似の使用者について集積した運動指標（ＥＸ）と生活活動指標（ＤＡ）を、送信元のサーバ１００に送信する。これにより、送信元のサーバ１００の表示手段のマトリックス平面に、他人の運動指標（ＥＸ）と生活活動指標（ＤＡ）が、参考のために表示される。使用者の個人データの詳細については、例えば、図１７に示されるような、各サーバ１００のサーバ表示手段９０に与えられる入力フォームを使用して入力され、データサーバに蓄積されて、使用者分類のために使用される。
【図１】
2008120677.tif 000011
【図２】
2008120677.tif 000012
【図３】
2008120677.tif 000013
【図４】
2008120677.tif 000014
【図５】
2008120677.tif 000015
【図６】
2008120677.tif 000016
【図７】
2008120677.tif 000017
【図８】
2008120677.tif 000018
【図９】
2008120677.tif 000019
【図１０】
2008120677.tif 000020
【図１１】
2008120677.tif 000021
【図１２】
2008120677.tif 000022
【図１３】
2008120677.tif 000023
【図１４】
2008120677.tif 000024
【図１５】
2008120677.tif 000025
【図１６】
2008120677.tif 000026
【図１７】
2008120677.tif 000027
【国際調査報告】
2008120677.tif 000028
2008120677.tif 000029
2008120677.tif 000030
2008120677.tif 000031